(57)【特許請求の範囲】
【請求項１】
文字や記号からなるテキスト及び種々の指令を入力する為の入力手段と、ディスプレイを含む表示手段と、複数の文字や記号の種々の文字サイズのドットパターンデータを記憶した文字情報記憶手段と、印字媒体であるテープに印字する印字手段と、テキストを印字する印字範囲のテープ長さが入力設定される設定長となるように印字する定長モードを設定するモード設定手段と、定長モードのときに、設定長を入力設定する設定長設定手段とを備えたテープ印字装置において、
入力されたテキストを印字可能な最小テープ長を演算するテープ長演算手段を備え、
前記設定長設定手段は、
前記入力手段により入力された所定の指令に基づいて、前記テープ長演算手段で演算された最小テープ長を、前記設定長を変更する為の変更値として入力する最小テープ長入力手段と、
前記変更値を記憶する変更値記憶手段と、
前記変更値記憶手段に記憶された変更値を表示手段のディスプレイに数値にて表示させる表示制御手段と、
前記変更値記憶手段に記憶された変更値を増減する為の増減手段と、
前記変更値記憶手段に記憶された変更値を設定長として確定する確定手段と、
を備えたことを特徴とするテープ印字装置。
【請求項２】
更に、テキスト印字の為の文字サイズを設定するサイズ設定手段を設け、前記テープ長演算手段は前記サイズ設定手段で設定された文字サイズに基づいて最小テープ長を演算することを特徴とする請求項１に記載のテープ印字装置。
【請求項３】
前記テープ長演算手段は、文字や記号が入力される毎に前記最小テープ長を演算することを特徴とする請求項１または２に記載のテープ印字装置。
【請求項４】
前記入力手段は、カーソルキーを備え、
前記増減手段は、カーソルキーの操作によって前記変更値記憶手段に記憶された変更値を増減することを特徴とする請求項１〜３の何れかに記載のテープ印字装置。
【請求項５】
前記入力手段は、数字キーを備え、
前記表示制御手段は、数字キーが操作されたときに、表示手段のディスプレイに表示された複数桁からなる変更値の各桁を、１桁分左スクロールさせて最上位桁の数値を消去するとともに、数字キーの操作により入力された数値を最下位桁に表示させることを特徴とする請求項１〜４の何れかに記載のテープ印字装置。
【発明の詳細な説明】
【０００１】
【発明の属する技術分野】
本発明は、テープ印字装置に関し、特に定長モードで定長印字する為の設定長を、入力したテキストの文字や記号の幅情報や各種のスペース情報を加算演算して求めた最小テープ長として求めるようにしたものに関する。
【０００２】
【従来の技術】
従来、本願出願人は、特開平５─８４９９４号公報に記載のように、印字媒体である印字テープに文字や記号のキャラクタやマークを印字し、ファイルの背表紙に貼付するのに適したラベルを作成するのに好適なテープ印字装置を提案し、実用化した。このラベル作成装置は、キーボード、ディスプレイ、サーマル印字方式の印字機構を備え、印字媒体としての印字テープ（例えば、テープ幅６、９、１２、１８、２４mm）に、キャラクタやマークを、種々の文字サイズや書体で印字できるように構成してある。
【０００３】
ところで、例えば、ファイルの「表題」や「内容」を印字用テープに印字してラベルを作成し、このラベルをファイルの所定の貼付領域の全域に綺麗に貼付したい場合があることから、テキストを印字する印字範囲のテープ長さが設定したテープ長となるように定長モードで定長印字できるテープ印字装置が提案されている。例えば、特開平５−１０４８１０号公報には、印字範囲の長さをテープ長として予め設定しておき、選字ダイヤルを回転操作することで複数の文字や記号からなるテキストが入力され、印字キーの押下により印字が指示されたときには、これら複数の文字や記号の文字幅の全てを加算した総文字幅を求め、その総文字幅が設定長よりも短いときには、各文字間のスペースを均等に拡大した定長印字処理が実行されるが、総文字幅が設定したテープ長を越えるときにはエラーが表示されて定長印字処理が中止されるようにしたテープ印字装置が提案されている。
【０００４】
【発明が解決しようとする課題】
前述したように、特開平５−１０４８１０号公報に記載のテープ印字装置においては、印字キーを押下した時点で、初めて、設定したテープ長にて印字が不可能なことが報知されるのであって、テープ長を設定してる時点では、そのテープ長にて印字が可能であるか否か知ることができない。また、設定したテープ長が入力したテキストの総文字幅よりもどれくらい短いのか、または、そのテープ長をどれだけ長くしたら印字可能となるのかを知ることができない。そのため、設定したテープ長にて印字不可能な場合には、テープ長が長くなるように設定し直しては印字キーを押下するという操作を、エラーが表示されなくなるまで繰り返さなければ成らず、その操作が煩雑化するという問題がある。
【０００５】
また、設定したテープ長にて印字可能な場合であっても、文字間のスペースがどれくらいの大きさになるのかは、印字してみなければ判らず、印字の結果、設定したテープ長が入力したテキストの総文字幅よりも長く、文字間のスペースが所望の大きさよりも大きい場合には、テープ長を短くなるように設定し直しては印字キーを押下するという操作を繰り返さなければ成らず、その操作が煩雑化すると共に、多量の印字用テープを無駄にするという問題がある。本発明の目的は、入力した複数の文字や記号からなるテキストに対して、テープ長を設定する場合に、容易に最小テープ長を知ることができると共に、その最小テープ長に基づいてテープ長を設定することが可能であり、テープ長を設定する操作が容易となり、経済的に定長印字を行い得るようなテープ印字装置を提供することにある。
【０００６】
【課題を解決するための手段】
請求項１に係るテープ印字装置は、文字や記号からなるテキスト及び種々の指令を入力する為の入力手段と、ディスプレイを含む表示手段と、複数の文字や記号の種々の文字サイズのドットパターンデータを記憶した文字情報記憶手段と、印字媒体であるテープに印字する印字手段と、テキストを印字する印字範囲のテープ長さが入力設定される設定長となるように印字する定長モードを設定するモード設定手段と、定長モードのときに、設定長を入力設定する設定長設定手段とを備えたテープ印字装置において、入力されたテキストを印字可能な最小テープ長を演算するテープ長演算手段を備え、前記設定長設定手段は、前記入力手段により入力された所定の指令に基づいて、前記テープ長演算手段で演算された最小テープ長を、前記設定長を変更する為の変更値として入力する最小テープ長入力手段と、前記最小テープ長入力手段により入力された変更値を記憶する変更値記憶手段と、前記変更値記憶手段に記憶された変更値を表示手段のディスプレイに数値にて表示させる表示制御手段と、前記変更値記憶手段に記憶された変更値を増減する為の増減手段と、前記変更値記憶手段に記憶された変更値を設定長として確定する確定手段とを備えたことを特徴とするものである。
【０００７】
入力手段により複数の文字や記号からなるテキストが入力されると、テープ長演算手段は、文字情報記憶手段から、例えば、テープ幅に見合う所定の文字サイズの幅情報に基づいて、各文字や記号の文字幅を加算した総文字幅と、各文字間毎に設ける最小の基準スペースの総合計と、テキストの先頭と末尾に夫々設ける余白とを加算することで、テキストを印字可能な最小テープ長を演算する。そして、モード設定手段で定長モードが設定されているときに、例えば、最小テープ長をディスプレイに表示させるように所定の指令が入力されたときには、設定長設定手段により、テキストを印字する印字範囲のテープ長さとして設定する設定長がその最小テープ長に変更される。そして、印字手段によりテキストが、その最小テープ長である設定長に基づいて定長印字される。
更に、必要に応じて表示制御手段により、テープ長演算手段で演算された最小テープ長が表示手段のディスプレイに数値にて表示される。そして、このとき、テキストを印字する為の設定長がその最小テープ長に変更される。この場合、最小テープ長に変更された設定長を、増減手段により増加側つまり長くなるように設定でき、また減少側つまり短くなるように設定できる。
【０００８】
請求項２に係るテープ印字装置は、請求項１の発明において、更に、テキスト印字の為の文字サイズを設定するサイズ設定手段を設け、前記テープ長演算手段は前記サイズ設定手段で設定された文字サイズに基づいて最小テープ長を演算することを特徴とするものである。この場合には、サイズ設定手段により種々の文字サイズのうちの所望の文字サイズが設定されると、テープ長演算手段は、設定された文字サイズの幅情報を文字情報記憶手段から受け、その文字サイズに基づいてテキストを印字可能な最小テープ長を演算する。その他、請求項１と同様の作用を奏する。
【０００９】
請求項３に係るテープ印字装置は、請求項１または２の発明において、前記テープ長演算手段は、文字や記号が入力される毎に前記最小テープ長を演算することを特徴とするものである。この場合、テープ長演算手段は、文字や記号が入力される毎に、その入力された文字や記号の幅情報を、それまでに既に入力されているテキストの総文字幅に加算するだけで、新規の総文字幅を求めるので、最小テープ長演算を簡単化して、テープ長演算処理時間を短縮化できる。その他、請求項１または２と同様の作用を奏する。
【００１０】
請求項４に係るテープ印字装置は、請求項１〜３の何れかの発明において、前記入力手段は、カーソルキーを備え、前記増減手段は、カーソルキーの操作によって前記変更値記憶手段に記憶された変更値を増減することを特徴とするものである。この場合、定長印字の為の設定長を任意の長さに容易に増減させることができる。その他、請求項１〜３の何れかと同様の作用を奏する。
【００１１】
請求項５に係るテープ印字装置は、請求項１〜４の何れかの発明において、前記入力手段は、数字キーを備え、前記表示制御手段は、数字キーが操作されたときに、表示手段のディスプレイに表示された複数桁からなる変更値の各桁を、１桁分左スクロールさせて最上位桁の数値を消去するとともに、数字キーの操作により入力された数値を最下位桁に表示させることを特徴とするものである。この場合には、定長印字の為の設定長を任意の長さに容易に変更できる。その他、請求項１〜４の何れかと同様の作用を奏する。
【００１２】
【００１３】
【発明の実施の形態】
以下、本発明の実施形態について、図面に基づいて説明する。本実施形態は、複数の文字や記号などからなるテキストを印字媒体である印字テープに印字可能なテープ印字装置に本発明を適用した場合のものである。図１に示すように、テープ印字装置１の本体カバー２の上面には、文字や記号や数字などの文字キーに加えて、種々の機能キーなどが設けられたキーボード（入力手段に相当する）４が配設され、そのキーボード４の直ぐ後側には、入力した文字や記号を表示可能な液晶ディスプレイ５が設けられるとともに、後述するテープカセット２０は、本体カバー２の裏側のカセットカバー３を開閉することで交換可能になっている。
【００１４】
また、そのカセットカバー３に対応する本体カバー２の内部には、サーマルヘッド１１を備えたサーマル印字機構１０が配設されている。また、切断用ノブ２０を押圧操作することで、印字した印字テープ９を図示外の切断機構により手動で切断できるようになっている。次に、サーマルヘッド１１を含むサーマル印字機構（印字手段に相当する）１０について、図２に基づいて説明する。
【００１５】
矩形状のテープ収納カセットＣＳには、透明なフィルムからなる印字用テープ９が巻装されたテープスプール８と、インクリボン１２が巻装されたリボン供給スプール１３と、このインクリボン１２を巻取る巻取りスプール１４と、印字用テープ９と同一幅を有する両面テープ１５が剥離紙を外側にして巻装された供給スプール１６と、これら、印字用テープ９と両面テープ１５とを接合させる接合ローラとが回転自在に設けられている。印字用テープ９とインクリボン１２とが重なる位置には、サーマルヘッド７が立設され、これら印字用テープ９とインクリボン１２とをサーマルヘッド７に押圧するプラテンローラ１７と両面テープ９・１５を接合ローラ１０に押圧する送りローラ１８とは支持体１９に回転可能に枢支されている。このサーマルヘッド７には、４８個の発熱素子からなる発熱素子群が上下方向に列設されている。
【００１６】
従って、接合ローラ１０と巻取りスプール１４とがテープ駆動モータ（図３参照）５４で所定の回転方向に夫々同期して駆動されながら発熱素子群に通電されたとき、印字用テープ９上には複数のドット列により文字が印字され、しかも印字用テープ９は両面テープ１５を接合した状態でテープ送り方向Ａにテープ送りされて本体フレーム２外に送出される。尚印字機構ＰＭの詳細については特開平２−１０６５５５号公報を参照。
【００１７】
次に、テープ印字装置１の制御系は、図３のブロック図に示すように構成されている。制御装置４０は、ＣＰＵ４１と、このＣＰＵ４１にデータバスなどのバス４２を介して接続されたフォントＲＯＭ４３と、ＲＯＭ４４及びＲＡＭ４５と、入出力インターフェース４６と、ビデオＲＡＭを有するディスプレイコントローラ（ＬＣＤＣ）４７と、入出力インターフェース４６に接続された駆動回路４８〜５０とから構成されている。ここで、これら液晶ディスプレイ５やＬＣＤＣ４７などで表示手段が構成されている。
【００１８】
前記フォントＲＯＭ（文字情報記憶手段に相当する）４３には、複数の文字や記号などのキャラクタの各々に関して、各キャラクタの文字幅情報と、表示用ドットパターンデータが格納されるとともに、複数の文字サイズの印字用ドットパターンデータが文字や記号のコードデータに対応させて格納されている。前記入出力インターフェース４６には、キーボード４と、テープカセットＣＳに設けられたその種類を示す検出用穴群（図示略）に基づいてテープカセットＣＳの種類を検出するカセット検出センサ５１とが接続されるとともに、ディスプレイコントローラ（ＬＣＤＣ）４７には液晶ディスプレイ（ＬＣＤ）５が接続され、駆動回路４８〜５０には警告用ブザー５３と、サーマルヘッド１１と、テープ駆動モータ５４とが接続されている。
【００１９】
前記ＲＯＭ４４には、キーボード４から入力された文字や記号や数字などのキャラクタのコードデータに対応させて、ディスプレイコントローラ４７を制御する表示駆動制御プログラム、テキストメモリ４５ａに格納された文字や記号について、印字に供するドットパターンデータを作成する印字制御プログラムや、作成されたドットパターンデータについて、１ドット列毎のドットパターンデータを順次サーマルヘッド１１やテープ駆動モータ４４に出力して印字する印字駆動制御プログラム、本願特有の後述のテープ印字制御の制御プログラムなどが格納されている。
【００２０】
前記ＲＡＭ４５のテキストメモリ４５ａには、キーボード４から入力された文字や記号からなるテキストのデータが格納される。サイズメモリ４５ｂには、設定された文字サイズのデータが格納される。設定長メモリ（変更値記憶手段に相当する）４５ｃには、定長印字の為の設定長の寸法が格納される。テープ長メモリ４５ｄには、演算で求められたテキストの最小テープ長のデータが格納される。印字データバッファ４５ｅには、テキストメモリ４５ａに格納されたキャラクタコードに対応するドットパターンデータが展開して格納される。更に、ＲＡＭ４５には、ＣＰＵ４１で演算した演算結果を一時的に格納する各種メモリなどが設けられている。
【００２１】
次に、テープ印字装置１の制御装置４０で行なわれる、テープ印字制御のルーチンについて、図４〜図５のフローチャートに基づいて説明する。尚、図中符号Ｓｉ（ｉ＝１０、１１、１２・・・）は各ステップである。このテープ印字装置１に電源が投入されると、ＲＡＭ４５の各メモリをリセットしたり、サーマル印字機構１０を初期化するなどの初期設定が実行された後、この制御が開始される。
【００２２】
この制御が開始され、キーボード４の文字サイズ設定キーが操作されたときには（Ｓ10・Ｓ11：Yes ）、数値キーで設定される文字サイズのデータをサイズメモリ４５ｂに格納する文字サイズ設定処理が実行され（Ｓ15）、Ｓ10にリターンする。次に、アルファベット文字や数字キーなどの印字可能キーが操作されたときには（Ｓ10：Yes ，Ｓ11：No、Ｓ12：Yes ）、その入力された文字や数字のコードデータがテキストメモリ４５ａに記憶され（Ｓ16）、テープ長演算処理が実行され、そのテープ長演算で求められた最小テープ長がテープ長メモリ４５ｄに格納され（Ｓ17）、Ｓ10にリターンする。
【００２３】
このテープ長演算処理について説明すると、例えば、文字「Ａ」に続けて文字「Ｂ」が入力されたとき、各文字「Ａ」，「Ｂ」の文字幅情報と、これら文字間に設ける最小の基準スペースＳＡと、これら文字「Ａ」，「Ｂ」からなるテキストの先頭と末尾とに夫々設ける余白ＳＹとを加算した、テキストを印字可能な最小テープ長が演算される。そして、更に文字「Ｃ」が入力されたときには、テキスト「ＡＢ」の最小テープ長に、その文字「Ｃ」の文字幅情報と１つの文字間基準スペースＳＡとを加算した新規の最小テープ長が求められる。即ち、文字や記号が入力される毎に最小データ長が演算されるので、最新の最小テープ長演算が簡単化する。
【００２４】
次に、定長モードキーが操作されたときに（Ｓ10：Yes ，Ｓ11・Ｓ12：No、Ｓ13：Yes ）、定長モードフラグＴＦがセットされていて定長モードが設定されているときには（Ｓ18：Yes ）、定長モードフラグＴＦがリセットされて定長モードが解除される（Ｓ19）。一方、定長モードフラグＴＦがリセットされていて定長モードが解除されているときには（Ｓ18：No）、定長モードフラグＴＦがセットされて定長モードが設定される（Ｓ20）。そして、設定モードの設定状態がディスプレイ５に表示される（Ｓ21）。例えば、定長モードが設定されたときには、図６（ａ）に示すようにディスプレイ５に「ＯＮ」が表示され、また定長モードが解除されたときには、図６（ｂ）に示すようにディスプレイ５に「ＯＦＦ」が表示される。
【００２５】
次に、定長印字の為の設定長を設定する設定処理（図５参照）が実行される（Ｓ22）。この制御が開始されたときに、定長モードフラグＴＦがリセットされているときには（Ｓ30：No）、この制御を直ぐに終了してテープ印字制御のＳ10にリターンするが、定長モードフラグＴＦがセットされていて、定長モードのときには（Ｓ30：Yes ）、設定長メモリ４５ｃに格納されている設定長を読み出してディスプレイ５に表示される（Ｓ31）。このとき、設定長メモリ４５ｃに何れの数値も記憶されていないときには、予め設定されたデフォルトの数値、例えば図６（ｃ）に示すように、「10.0」ｃｍが設定長メモリ４５ｃに記憶され且つ表示される。
【００２６】
そして、現在までに入力したテキストの最小テープ長を表示させる為に、テープ長表示キーが操作されたときには（Ｓ32・Ｓ33：Yes ）、テープ長メモリ４５ｄから読み出した最小テープ長の数値がディスプレイ５に表示され（Ｓ39）、同時に設定長メモリ４５ｃの設定長がテープ長メモリ４５ｄの最小テープ長に変更され（Ｓ40）、Ｓ31にリターンする。例えば、図７に示すように、テキスト「ＡＢＣＤＥ」を入力したときに、各文字「ＡＢＣＤＥ」の文字幅と、４つの文字間基準スペースＳＡと、２つの余白ＳＹとを加算した印字可能な最小テープ長が「7.5 」cmのときには、図６（ｄ）に示すように、その「7.5 」cmが表示され、設定長メモリ４５ｃにもその数値「7.5 」が格納される。ここで、Ｓ31が表示制御手段に相当し、Ｓ40が最小テープ長入力手段に相当する。
【００２７】
次に、上カーソルキーが操作されたときには（Ｓ32：Yes ，Ｓ33：No、Ｓ34：Yes ）、設定長メモリ４５ｃに記憶している設定長ＳＬとして、その数値を「0.1 」cmだけ増加させた新規の数値で記憶される（Ｓ41）。また、下カーソルキーが操作されたときには（Ｓ32：Yes ，Ｓ33・34：No、Ｓ35：Yes ）、設定長メモリ４５ｃに記憶している設定長ＳＬとして、その数値を「0.1 」ｃｍだけ減少させた新規の数値で記憶される（Ｓ42）。ここで、これら上下のカーソルキーを連続操作するときには、設定長ＳＬを、「0.1 」ずつ連続させて増加又は減少させるようにしてもよい。
【００２８】
一方、数字キーが操作されたときには（Ｓ32：Yes ，Ｓ33〜Ｓ35：No、Ｓ36：Yes ）、ディスプレイ５に表示されている３桁からなる設定長ＳＬの各数値が１桁分だけ左スクロールされ、最上桁の数値が消えて入力した数値が最下位桁に表示される（Ｓ43）。そして、最終的に、確定キーが操作されたときに（Ｓ32：Yes ，Ｓ33〜Ｓ36：No、Ｓ37：Yes ）、現在設定されている設定長ＳＬが、その設定長ＳＬに対する設定長下限値Ｓａと設定長上限値Ｓｂとの許容範囲外のときには（Ｓ44：No）、エラー表示されるが（Ｓ46）、設定長ＳＬが許容範囲内のときには（Ｓ44：Yes ）、その設定長ＳＬが確定され（Ｓ45）、この制御を終了してＳ10にリターンする。ここで、Ｓ45が確定手段に相当する。
【００２９】
ここで、設定長下限値Ｓａは、メカ的な要因で印字不可能なテープ長（例えば、印字位置と、切断位置との間の距離よりも短いテープ長は印字できない）に若干のマージンを加えた値（例えば、約５cm）です。また、設定長上限値Ｓｂは、機械的な制約ではなく、いたずらに長いテープ長が設定されないように設けられた値（例えば、約３０cm）です。
【００３０】
一方、取消しキーが操作されたときには（Ｓ32：Yes ，Ｓ33〜Ｓ37：No、Ｓ38：Yes ）、設定された新規の設定長が無効にされ、つまり設定長メモリ４５ｃには前回の設定長が格納され（Ｓ47）、この制御を終了して同様にＳ10にリターンする。そして、テープ印字制御において、印字キーが操作されたときには（Ｓ10：Yes ，Ｓ11〜Ｓ13：No、Ｓ14：Yes ）、入力されたテキストが設定長メモリ４５ｃの設定長に基づいて定長印字される（Ｓ23）。
【００３１】
例えば、図７に示すように、テキスト「ＡＢＣＤＥ」を入力する一方、定長モードのときに、テープ長表示キーを操作するだけで設定長として、そのテキスト「ＡＢＣＤＥ」を印字可能な最小テープ長に設定され、その設定長で定長印字されることから、入力したテキストの定長印字を経済的に且つ簡単にしかも見栄えよく行なうことができる。ここで、テープ印字制御に設けられたテープ長演算処理制御などでテープ長演算手段が構成され、定長モードキーや定長モードフラグＴＦなどでモード設定手段が構成され、文字サイス設定キーやサイズメモリ４５ｂなどでサイズ設定手段が構成され、Ｓ22により設定長設定手段が構成されている。
【００３２】
このように、サーマル印字機構１０やキーボード４やディスプレイ５を備えるとともに、その制御装置４０にフォントＲＯＭ４３を設けたテープ印字装置１において、テープ印字制御に、テープ長演算処理制御やモード設定制御や設定長設定処理制御を設け、キーボード４を介して入力されたテキストの最小テープ長を求める一方、定長印字の為の設定長として最小テープ長に変更し、この最小テープ長に基づいてテキストを定長印字するので、定長印字を経済的に且つ簡単にしかも見栄えよく行なうことができる。
【００３３】
また、文字サイズ設定キーを操作することで、テキスト印字の為の文字サイズを設定できるようにし、更に設定された文字サイズに基づいて最小テープ長が演算されるので、定長印字するテキストの文字サイズを任意に設定でき、しかも設定した所望の文字サイズに相応しい最小の設定長でテキストを定長印字することができる。また、テープ長表示キーの操作により、入力したテキストの最小テープ長をディスプレイ５に数値にて表示し、そのテープ長表示キーによる表示指令でテキストを印字する為の設定長がその最小テープ長に変更されるので、入力したテキストに相応しい最小テープ長をディスプレイに表示させるのと同時に、定長印字の為の設定長を最小テープ長に自動的に変更することができる。
【００３４】
更に、上下カーソルキーの操作で設定長メモリ４５ｃの設定長を増減できるようにしたので、定長印字の為の設定長を任意の長さに容易に増減させることができる。特に、設定長を最小テープ長に変更後は、その最小テープ長を増すことで設定長を設定できるので、設定長が短かすぎて、印字不可能となることもなく、また、文字間スペースの大きさも容易に想像できるので、設定長の設定操作が極めて容易になる。また、文字や記号が入力される毎に、それまでに既に入力されているテキストの総文字幅に入力文字の文字幅を加算するだけで、新規の総文字幅を求め、最新のテキストを印字可能な最小テープ長を演算するので、最小テープ長演算を簡単化して、テープ長演算処理時間の短縮化を図ることができる。更に、設定される設定長を記憶する設定長メモリ４５ｃをＲＡＭ４５に設けたので、後続的に入力する別のテキストの各々についても、同様の設定長を用いて、容易に且つ迅速に定長印字を実行することができる。
【００３５】
ここで、前記実施形態の変更形態として、複数の文字や記号からなるテキストを印字可能な最小テープ長は、各文字や記号の文字幅だけを加算することで求めるようにしてもよい。また、印字に供する文字サイズは使用する印字テープ９のテープ幅に基づいて自動的に設定するようにしてもよい。更に、２行又は３行からなるテキストを定長印字する場合には、各行の最小テープ長のうちの長い方の最小テープ長を採用するようにしてもよい。本発明の技術的思想の範囲内において、前記実施形態に関し、既存の技術や当業者に自明の技術に基いて種々の変更を加えることもあり得る。尚、リボン色の異なる複数のリボンカセット３０を順次取り換えて多色印字する種々のテープ印字装置に本発明を適用し得ることは勿論である。
【００３６】
【発明の効果】
請求項１の発明によれば、文字や記号からなるテキスト及び種々の指令を入力する為の入力手段と、ディスプレイを含む表示手段と、複数の文字や記号の種々の文字サイズのドットパターンデータを記憶した文字情報記憶手段と、印字媒体であるテープに印字する印字手段と、テキストを印字する印字範囲のテープ長さが入力設定される設定長となるように印字する定長モードを設定するモード設定手段と、定長モードのときに、設定長を入力設定する設定長設定手段とを備えたテープ印字装置において、テープ長演算手段を備え、設定長設定手段は、最小テープ長入力手段と、変更値記憶手段と、増減手段と、表示制御手段と、確定手段とを備え、入力されたテキストの最小テープ長を求める一方、定長印字の為の設定長として最小テープ長に変更し、この最小テープ長に基づいてテキストを定長印字するので、定長印字を経済的に且つ簡単にしかも見栄えよく行なうことができる。
更に、入力したテキストに相応しい最小テープ長をディスプレイに表示させるのと同時に、定長印字の為の設定長を最小テープ長に自動的に変更することができる。しかも、最小テープ長に変更された設定長を、任意の長さに容易に増減させることができる。従って、設定長を最小テープ長に変更後に、任意の長さに増やせば、印字不可能な設定長を設定することもないし、文字間スペースが大きくなりすぎるように長すぎる設定長を設定することもない。
【００３７】
請求項２の発明によれば、更に、テキスト印字の為の文字サイズを設定するサイズ設定手段を設け、前記テープ長演算手段は前記サイズ設定手段で設定された文字サイズに基づいて最小テープ長を演算するので、定長印字するテキストの文字サイズを任意に設定でき、しかも設定した所望の文字サイズに相応しい最小の設定長でテキストを定長印字することができる。
【００３８】
請求項３の発明によれば、請求項１または２と同様の効果を奏するが、前記テープ長演算手段は、文字や記号が入力される毎に最小テープ長を演算するので、入力されたテキストの最小テープ長演算を簡単化して、テープ長演算処理時間の短縮化を図ることができる。
【００３９】
請求項４の発明によれば、請求項１〜３の何れかと同様の効果を奏するが、前記入力手段は、文字や記号の印字位置を変更する為のカーソルキーを備え、前記増減手段は、カーソルキーの操作によって前記変更値記憶手段に記憶された変更値を増減することを特徴とするものである。この場合、定長印字の為の設定長を任意の長さに容易に増減させることができる。
請求項５の発明によれば、請求項１〜４の何れかと同様の効果を奏するが、入力手段は、数字キーを備え、表示制御手段は、数字キーが操作されたときに、表示手段のディスプレイに表示された複数桁からなる変更値の各桁を、１桁分左スクロールさせて最上位桁の数値を消去するとともに、数字キーの操作により入力された数値を最下位桁に表示させるので、定長印字の為の設定長を任意の長さに容易に変更できる。
【図面の簡単な説明】
【図１】テープ印字装置の斜視図である。
【図２】印字状態のサーマル印字機構の平面図である。
【図３】テープ印字装置の制御系のブロック図である。
【図４】テープ印字制御のルーチンの概略フローチャートである。
【図５】設定長設定処理制御のルーチンの概略フローチャートである。
【図６】定長モードや設定長の設定に関する表示例であり、（ａ）は定長モード設定状態の表示例であり、（ｂ）は定長モード解除状態の表示例であり、（ｃ）はデフォルト値を設定長とする表示例であり、（ｄ）は演算で求められた最小テープ長を設定長とする表示例である。
【図７】入力したテキスト「ＡＢＣＤＥ」を定長印字した印字テープの平面図である。
【符号の説明】
１    テープ印字装置
４    キーボード
５    液晶ディスプレイ
１０    サーマル印字機構
１１    サーマルヘッド
４０    制御装置
４１    ＣＰＵ
４４    ＲＯＭ
４５    ＲＡＭ
４５ｃ    設定長メモリ
【図１】
0003719473.tif 000002
【図２】
0003719473.tif 000003
【図３】
0003719473.tif 000004
【図４】
0003719473.tif 000005
【図５】
0003719473.tif 000006
【図６】
0003719473.tif 000007
【図７】
0003719473.tif 000008